(57)【要約】      （修正有）【課題】ブロックを用いた壁体の施工性を向上する施工法を提供する。【解決手段】下段コンクリートブロック１ａと上段コンクリートブロック１ｂの隙間の目地モルタル２に複数の隙間材３を設置する。隙間材３を用いて、コンクリートブロック積みを施工すれば、熟練者以外でも水平、垂直に積み上げていくことが容易で、施工期間も大幅に短縮することができる。また、上段コンクリートブロック１ｂは隙間材により支持されるため、目地モルタル２が硬化する前に、さらにその上段コンクリートブロック１ｂの上にコンクリートブロックを積み重ねることができる。【選択図】図５
2016121518.tif 000002
【特許請求の範囲】
【請求項１】
第１コンクリートブロックの穴あき面上に、目地モルタルを設置し、前記目地モルタル上の前記第１コンクリートブロック穴の周辺部に、前記目地モルタルの厚みよりも小さな厚みを有する複数の隙間材を設置し、前記隙間材を押圧して、前記隙間材を前記穴あき面と接融させ、前記目地モルタル及び隙間材上に第２コンクリートブロックを設置し、前記目地モルタルにて、前記第１及び第２コンクリートブロックを固着させることを特徴とするコンクリートブロック積みの施工方法。
【請求項２】
隙間材は、プラスチック製又は金属製からなり、円形もしくは多角形状を有し、コンクリートブロック穴あき面の幅よりも小さく、前記コンクリートブロック穴あき面の穴よりも大きいものとなることを特徴とするコンクリートブロックの積みの施工方法。
【発明の詳細な説明】
【技術分野】
【０００１】  この発明は、コンクリートブロック塀などを積み上げていく際に、コンクリートブロックの下段と上段との間に入れる隙間材および、コンクリートブロック積みの施工に関するものである。
【背景技術】
【０００２】  一般市販のコンクリートブロック１ａで、コンクリートブロック塀を積み上げていく場合、下部のコンクリートブロック１ａの上面に目地モルタル２を置き、その上に上部のコンクリートブロック１ｂを積むことにより、両コンクリートブロックが一体に結合し、さらにコンクリートブロックに開けられた縦穴に鉄筋が配され、横からの圧力にも簡単には崩れないようになっている。【０００３】  コンクリートブロックを上下に積む場合、具体的には、図７（ａ）に示されるように、まず下部のコンクリートブロック１ａの上面に目地モルタル２を置く。その際、目地モルタル２はやや山盛りになるように置く。次に、同図（ｂ）のように、その上に上段のコンクリートブロック１ｂを置く。上段のコンクリートブロック１ｂを熟練者の経験と勘、および、水平器、もしくは事前に水平に張った糸などで水平、垂直に荷重をかけることにより積み上げていくものである。
【先行技術文献】
【特許文献】
【０００４】
【特許文献１】  実開平０７−０３５６１２号  公報
【発明の概要】
【発明が解決しようとする課題】
【０００５】  このように、積み上げていく際、熟練者同等の技術を持たない一般人が積み上げていくと、水平、垂直に積み上げていくことが困難である。
また、熟練者の技術を持っても、下段コンクリートブロック１ａと上段コンクリートブロック１ｂの間の目地モルタル２がある程度凝固するまで、すでに、積み上げた上段の上には、積み上げることができないため、一定の凝固時間が必要とされている。【０００６】  本発明は上記問題点を解消し、熟練者以外でも水平、垂直に積み上げていくことができ、施工が容易で、施工期間も大幅に短縮することができるコンクリートブロック積みの施工方法、及び、隙間材３を提供することをその目的とする。
【課題を解決するための手段】
【０００７】  前記課題を解決するために、請求項１の発明は第１コンクリートブロックの穴あき面上に、目地モルタルを設置し、前記目地モルタル上の前記第１コンクリートブロック穴の周辺部に、前記目地モルタルの厚みよりも小さな厚みを有する複数の隙間材を設置し、前記隙間材を押圧して、前記隙間材を前記穴あき面と接融させ、前記目地モルタル及び、隙間材上に第２コンクリートブロックを設置し、前記目地モルタルにて、前記第１及び、第２コンクリートブロックを固着させることを特徴とするコンクリートブロック積みの施工方法である。
また、隙間材は、プラスチック製又は、金属製からなり、円形もしくは、多角形状を有し、コンクリートブロック穴あき面の幅よりも小さく、前記コンクリートブロック穴あき面の穴よりも大きいものとなることを特徴とする請求項１記載のコンクリートブロックの積みの施工方法である。
【発明の効果】
【０００８】  請求項２の発明を用いて、請求項１のコンクリートブロック積みの施工方法で施工すれば、熟練者以外でも水平、垂直に積み上げていくことが容易で、施工期間も大幅に短縮することができる。【０００９】  請求項２の発明で、積み上げていく建材に合うよう直径約５ｃｍ〜１３ｃｍの円形、もしくは、多角形のもので形成するとなっているが、例えば、図５の市販の厚み１０ｃｍの基本ブロックなら、その厚みより約２０％小さい直径のもの（約直径８ｃｍ）を用いる。また、高さはコンクリートブロックの上段と下段の目標とする目地の厚みが約５ｍｍなら高さ５ｍｍの隙間材用いれば均等に正確な目地が形成される。【００１０】  なお、説明を省略したが、一般市販のコンクリートブロックには、用途に応じて横筋と縦筋を通すことができる形状になっているものもあり、リブブロックなどの化粧ブロックなどにも、請求項２は対応できる形状になっている。
【図面の簡単な説明】
【００１１】
【図１】隙間材の斜視図である。
【図２】隙間材の平面図である。
【図３】コンクリートブロック上に目地コンクリートを設置し、その上に隙間材を置いた状態の側面図である。
【図４】コンクリートブロック上に目地コンクリートを設置し、その上に隙間材を置いた状態の平面図である。
【図５】下段コンクリートブロックに目地モルタルと隙間材を用いて上段コンクリートブロックを積み押圧した状態の縦断面図である。
【図６】市販の厚み１０ｃｍの基本ブロック斜視図である。
【図７】（ａ）（ｂ）は従来のコンクリートブロックを上下に積んだ状態の側面図である。
【発明を実施するための形態】
【００１２】  以下、本発明の実施の形態を図１〜図５に基づき説明する。
【００１３】  図においては、３はプラスチック製又は、金属製から形成される隙間材で円形を例とする。
【００１４】  １ａ、１ｂは一般的な市販のコンクリートブロックである。また、２は一般的なセメントと砂を水で混ぜ合わせた目地モルタルである。
【００１５】  以下、上記構成の材料を用いての施工方法を説明する。コンクリートブロック１ａの上面に目地モルタルを置き、その上に本発明の隙間材３を２か所設置し、上段のコンクリートブロック１ｂを乗せゴムハンマー等で沈まなくなるまで押さえ積んでいきます。
【００１６】  さらに３段、４段と即時に積んでも１段目さえ水平、垂直にすれば熟練者以外でも上段は自然と水平、垂直になり、また、目地モルタル２の凝固時間を待たずに積むことができ、施工が容易で、施工期間も大幅に短縮することができるコンクリートブロック積みの施工方法である。
【符号の説明】
【００１７】１ａ  下段コンクリートブロック
１ｂ  上段コンクリートブロック
２    目地モルタル
３    隙間材
４    穴
【図１】
2016121518.tif 000003
【図２】
2016121518.tif 000004
【図３】
2016121518.tif 000005
【図４】
2016121518.tif 000006
【図５】
2016121518.tif 000007
【図６】
2016121518.tif 000008
【図７】
2016121518.tif 000009